(57)【要約】【課題】  従来の加熱調理器は、視覚障害者が鍋（被加熱物）を置く場合、平らなトッププレートではどの部分に鍋を置くのか分り難い上、トッププレート上のマークを頼りにして鍋を置く位置を確かめる場合、トッププレートが高温であることもあり、火傷の恐れがあった。また鍋の載置位置目安としてトッププレートの周囲の枠体に刻印を設けても複数ある熱源部から目的のものを特定することが難しかった。【解決手段】  本発明の加熱調理器は、上面がトッププレート６で覆われた本体部Ａ内部に、トッププレート６上に置かれた被加熱物３を加熱する複数の熱源部９〜１１と、トッププレート６の前方及び側方縁部を構成する枠体７とを備え、トッププレート６上面には、各熱源部９〜１１により加熱される領域をそれぞれ示すマーク１２〜１４を設け、枠体７上には、目的とする各熱源部９〜１１の加熱領域の中心部と熱源部とを触感で判別可能とする識別部１５〜２１を設けた。【選択図】図２
2010038518.tif 000002
【特許請求の範囲】
【請求項１】
上面がトッププレートで覆われた本体部と、
この本体部の内部に設置され前記トッププレート上に置かれた被加熱物を加熱する複数の熱源部と、
前記トッププレートの前方及び側方縁部を構成する枠体とを備え、
前記トッププレート上面には、前記各熱源部により加熱される領域をそれぞれ示すマークと、
前記枠体上には、前記各熱源の中から目的とする熱源部の加熱領域の中心部と熱源とを触感で判別可能とする識別部を設けたことを特徴とする加熱調理器。
【請求項２】
前記トッププレートの前方縁部を構成する枠体と側方縁部を構成する枠体に、前記識別部を各熱源部に対応してそれぞれ設け、
この前方の枠体の識別部上から後方に伸びる直線と、側方の識別部上から側方に伸びる直線との交点位置を、前記熱源部の中心部に一致させていることを特徴とする請求項１記載の加熱調理器。
【請求項３】
前記識別部は、突起状に形成されたものであることを特徴とする請求項１乃至２記載の加熱調理器。
【請求項４】
前記識別部は、突起状に形成されたものであり、かつ前記熱源部毎に形状を異ならせたことを特徴とする請求項１乃至２記載の加熱調理器。
【請求項５】
前記識別部は、突起状に形成されたものであり、かつ前記熱源毎に形状を異ならせ、さらに接触したことを前記熱源毎に異なる報知音で報知することを特徴とする請求項１乃至４記載の加熱調理器。
【請求項６】
前記識別部の近傍で前記トッププレート表面にタッチ式スイッチを設け、前記識別部から所定方向に使用者が指をずらして前記スイッチに接触可能に構成し、当該接触状態で前記熱源部の加熱状態又はトッププレートの温度状況等の参考情報を報知する制御部を具備したことを特徴とする請求項１乃至４記載の加熱調理器。
【請求項７】
前記制御部は、前記参考情報を音声で報知するための音声発生部を備えていることを特徴とする請求項６記載の加熱調理器。
【発明の詳細な説明】
【技術分野】
【０００１】
本発明は、電気ヒータや誘導加熱ヒータなどからなる熱源部をトッププレートの下方に複数個備えた加熱調理器に関するものである。
【背景技術】
【０００２】
この種の従来の加熱調理器は、加熱手段となる熱源部のおおよその位置を示すために、ガラスを素材としたトッププレートと呼ばれる平らな調理面上に円状のマークを印刷で施していた（例えば特許文献１参照）。
【０００３】
また電気式熱源ではなくガスバーナ式のコンロの例であるが、ゴトクが置かれた天板上に、ガスコンロの火口の中心位置を判断する目印となるように、ゴトクの周囲４箇所に刻印又は印刷等の手段で目印を施したものもある（例えば特許文献２参照）。
【０００４】
【特許文献１】特開２００３−１４２３９号（第１頁、図１）
【特許文献２】特開２００３−３０２０５３号（第２頁、図１）
【発明の開示】
【発明が解決しようとする課題】
【０００５】
しかしながら前記のような従来の加熱調理器では、視覚障害者が鍋（被加熱物）を置く場合、ほぼ平らなトッププレートではどの部分に鍋を置くのかわかりにくい上、トッププレート上に施された熱源部を表す印刷（触れるとわずかに認識できる程度の盛り上がりがある）を頼りにして鍋を置く位置を確かめる場合には、調理中はトッププレートが高温になっている場合もあり、火傷などのおそれがあった。
【０００６】
そこでこれを解消する方法として、トッププレートの外周縁部上に鍋の載置位置目安として刻印等を設けることも考えられるが、複数ある熱源部に対して鍋の載置位置目安の刻印が同じでは目的とする熱源部を特定することが難しいという新たな問題が発生する。特に、熱源部の加熱方式が異なる場合、例えば誘導加熱式加熱源とラジアントヒータと呼ばれている輻射式の速熱式電気ヒータでは、加熱特性が異なるから、このような加熱方式が異なる複数の熱源部を有する加熱調理器では特に熱源部の特定は重要であり、熱源部の違いを区別できないと、熱源部によって違う安全上の注意が認識できなかったり、それぞれの熱源部の特性にあった調理を行って料理の幅を広げる機会を阻んだりしてしまうことになる。
【０００７】
本発明は上記課題を解決するもので、鍋の載置位置と熱源部の違いを認識できるようにし、安全にかつ快適に調理を行う加熱調理器を提案するものである。
【課題を解決するための手段】
【０００８】
本発明は上記目的を達成するために、トッププレート外周縁部を構成する枠体上に突起形状等のように触感で判別可能とする識別部を設けたものである。
【０００９】
本発明の加熱調理器は、上面がトッププレートで覆われた本体部と、この本体部の内部に設置され前記トッププレート上に置かれた被加熱物を加熱する複数の熱源部と、前記トッププレートの前方及び側方縁部を構成する枠体とを備え、前記トッププレート上面には、前記各熱源部により加熱される領域をそれぞれ示すマークと、前記枠体上には、前記各熱源部の中から目的とする加熱領域の中心部と熱源とを触感で判別可能とする識別部を設けたものである。    
【発明の効果】
【００１０】
本発明によれば、たとえ視覚障害者であっても鍋等を所定の加熱エリアに置くことができるだけでなく、熱源部の違いも認識できることで、安全でより効率的な調理が行え、使い勝手が向上する。
【発明を実施するための最良の形態】
【００１１】
実施の形態１．
以下、この発明の実施の形態１について図１、２にて説明する。
図１は加熱調理器の全体を示す斜視図で、一部の天面部を破断して内部構造物を示している。図２はその加熱調理器の全体を示す斜視図で、厨房家具に組み込まれる前の調理器単体を示している。
図１において、１は加熱調理器であるＩＨクッキングヒータで、台所の流し台などの厨房家具に組み込まれて使用されるビルトイン型（組み込み型ともいう）のものである。
Ａは加熱調理器の本体部で、この上面にある天面部２に調理鍋等の被加熱物３を載置して加熱調理を行う。
４は、本体部Ａの前面１ａに配設された前面操作部で、この前面操作部４には、電源用メインスイッチ４ａと、後述する各加熱部（以下、「熱源部」という）の火力を調整するプッシュ式火力調整ダイヤル４ｂとがそれぞれ配設されている。５はロースター部で、本体部Ａの内部中央に金属板等で区画された加熱室を備えている。
【００１２】
６は天面２に備えたトッププレートで、全体が耐熱性の強化ガラス等で形成されている。７はトッププレート６の全周、つまり左右と前後の縁部を構成する枠体で、金属製板やプラスチック素材から形成され、その上面の位置は前記トッププレート６の表面（上面）よりも数ｍｍ程度高くなるようになっている。なお、この枠体は全体が額縁状にプレス成形等で形成されて１個の部品であっても良いし、左右前後の縁（辺）を別々に形成し、それらを連結して方形の枠状にしたものでも良い。また、枠体７とトッププレート６外周縁との間には弾力性に富むシール材、例えばシリコンゴム等の素材のシール材が介在しているので、枠体７とトッププレート６外周縁との間は水蜜構造であり、またトッププレート６の温度が枠体７に伝導しにくいように工夫されている。
【００１３】
８は枠体７の前部７ａに配設された上面操作部で、ここには後述する各種熱源部９、１０、１１及びロースター部５の加熱室内に配置した電気ヒータ（シーズヒータやハロゲンヒータ等）の通電を制御する各種入力キー群がある。それら入力キー群は押圧式でもタッチ式入力によるものでも良い。
【００１４】
前記トッププレート６の下方には、本体部Ａの外殻を構成するように上面が開口した矩形状の金属製ケース１ｂが配設されていて、このケース内で前記ロースター部の加熱室上方空間には、被加熱物３を電磁誘導加熱によって加熱する左熱源部９と右熱源部１０及びこれら熱源部とは独立して通電され輻射熱によって加熱する方式の中央熱源部１１の３つの熱源部が設けられている。２４は冷却用送風機で、本体部Ａの中に調理器上面後部の吸気口（図示せず）から新鮮な室内空気を吸い込み、その空気を前記左熱源部９と右熱源部１０の加熱コイル部に当てて、そのコイル部を冷却するものである。なお、コイル部冷却後の空気は再び本体部Ａの上面後部排気口２５から排出される。
【００１５】
図２において、トッププレート６上面には、各熱源部９，１０，１１の位置を示す円状のマーク１２、１３、１４がそれぞれ印刷により施されている。但し、これらマークは、各熱源部の実質的な加熱部の輪郭位置と厳密に対応した位置、大きさではなく、あくまでもおおよその位置と大きさを示し、これらマークの上であれば正常に加熱動作ができることを期待しているが、以下の説明では「加熱部の位置を示す」と表現する。
【００１６】
１５，１６は、枠体７の左部７ｃ表面に一体に形成した凸形状の識別部、１７、１８、１９は、枠体７の手前部７a表面に一体に形成した凸形状の識別部、２０、２１は枠体７の右部７ｂ表面に一体に形成した凸形状の識別部である。これら識別部の内、特定の識別部の組合せ（一対）で前記各熱源部の中心位置が分かるようにしてある。例えば、枠体７の左部７ｃに形成した識別部１６を通る横方向の直線と、手前部７aの識別部１７を通る前後方向の直線との交点が左熱源部９の中心位置２２になる。同様に枠体７の左部７ｃに形成した識別部１５を通る横方向の直線と、手前部７aの識別部１８を通る前後方向の直線との交点が中央熱源部１１の中心位置２３になる
【００１７】
前記識別部は、熱源部９、１０、１１別に形状を変えている。例えば、電磁誘導加熱による左熱源部９の中心部２２を示すことができる一対の識別部１６，１７は、横長凸形状（バー形状凸）とする。同様に、中央熱源部１１の中心部２３を把握できる一対の識別部１５、１８は、平面形状が丸い凸形状とする。従って、枠体７の左側で横長凸形状の識別部１６を把握し、また枠体７の手前側で同じく横長凸形状の識別部１７を把握すれば、これら一対の識別部１６、１７の位置から左熱源部９の中心部２２を仮に目視できなくても使用者は頭の中でイメージとして推定できる。なお、枠体７の右部７ｂ表面にも識別部２０、２１を形成しているので、手前側の識別部２０と識別部１９により右熱源部１０の中心部が把握でき、奥側の識別部２１と識別部１８により中央熱源部１１の中心部が把握できる。
【００１８】
２６は表示手段である。ここで「表示」とは、文字や記号、イラスト、色彩や発光有無や発光輝度等の変化により、使用者に動作条件や調理に参考となる関連情報（異常使用を注意する目的や異常運転状態の発生を知らせる目的のものを含む。以下、単に「調理関連情報」という）を視覚的に知らせる動作をいう。
【００１９】
また表示手段とは、特に明示のない限り、液晶（ＬＣＤ）や各種発光素子（半導体発光素子の一例としては発光ダイオード、レーザーダイオードの２種類がある）、有機電界発光素子（Ｅｌｅｃｔｒｏ  Ｌｕｍｉｎｅｓｃｅｎｃｅ、通称ＥＬ素子）を含む。このため表示手段の意味には、液晶画面やＥＬ画面等の表示画面を含んでいる。
【００２０】
また報知とは、表示又は電気的音声（電気的に作成又は合成された音声をいう）により、制御手段の動作条件や調理関連情報を使用者に認識させる目的で知らせる動作をいう。
【００２１】
報知手段とは、特に明示のない限り、ブザーやスピーカ等の可聴音による報知手段と、文字や記号、イラスト、あるいは可視光による報知手段とを含んでいる。
【００２２】
次に本発明の加熱調理器の動作について説明する。
視覚障害者が平らなトッププレートの上に鍋を置く時、上記した突起状の識別部の位置を指で確認することで、目的とする熱源部の中心の位置を推測でき、その位置を目安として鍋等の被加熱物を載置することができる。例えば、左熱源部９で調理したい場合、まず左手の指で枠体７の左側にある横長の識別部１６に触れ、その存在を把握する。次に右手の指で枠体７の手前側にある横長の識別部１７に触れてその位置を把握する。これら一対の識別部１６、１７の位置から視覚障害者には左熱源部９の中心部２２のおおよその位置が頭の中でイメージできるので、視覚障害者はそのまま右手で鍋を持ち、イメージした通りの位置に鍋を置けば、トッププレート６上面に全く触れないままで、左熱源部９の加熱エリアの上に鍋を置くことができる。なお、使用者の利き腕が左であっても何ら支障なく上記した被加熱物の載置位置の特定はできる。
【００２３】
この実施の形態１の加熱調理器では、枠体７上面に識別部１５，１６、１７、１８、１９，２０，２１を設けているので、これら識別部と各熱源部９，１０，１１の通電によって高温となるトッププレート６上面とは段差が確保されていることになる。従って、調理中で高温となる可能性があるトッププレート６に全く触れることなく鍋等の被加熱物３の載置位置の目安を確認することができる。
【００２４】
また、全ての識別部１５〜２１は、その外形形状の違いに対応させて熱源部が決まっており、熱源部の種類（加熱方式）や加熱能力（最大火力）等が違った熱源でも目的とする熱源部を選択できるため、例えば、熱源部自体が急速に高温になるラジエントヒータを使う場合（実施の形態のもの）、熱源部９，１０，１１の上方周辺に可燃物を置かない、または調理後は余熱のため電磁誘導加熱より比較的長い時間高温のままである等、安全に対する注意を促すことができる。
【００２５】
さらに、熱源部９，１０，１１の種類や特性、能力等の違いは安全面だけでなく、調理そのものにも影響する。例えば、電磁誘導加熱よりラジエントヒータの方が熱効率が低いため、高火力を必要とする炒め物や中華料理、急ぎの湯沸し等には適さない。しかし、「海苔をあぶる」等、あぶるという調理はラジエントヒ―タが適していて、電磁誘導加熱では不可能な調理である。調理にあった熱源部を調理前に確認して手際よく調理を開始することができる。
【００２６】
なお、実施の形態１のように、枠体７の左右部両方に識別部１５〜２１を設けることで、キッチンカウンターの左右どちらに壁がきても、使いやすい識別部１５〜２１を選んで鍋等の載置位置を確認することができる。またこのことは使用者の利き腕が右でも左でも対応できることを意味する。
【００２７】
実施の形態２．
図３は本発明の実施形態２の加熱調理器を示す概略図であり、この実施の形態２の特徴は、識別部の近傍に、タッチ式スイッチを配置したところにある。なお、上記実施の形態１と同じ部分にはこれと同じ符号を付して説明を省略する。
図中、７aは枠体７の手前部で、この枠体とトッププレート６との間には耐熱性ゴム等のシール材３０を介在させている。１７は枠体７の手前部７a表面に一体に形成した識別部、３１はこの識別部の直ぐ後方のトッププレート６の表面（上面）に蒸着等の手段で固定した薄い電極部、３２はその電極部に対応するようトッププレート６の下面に固定した薄い電極部で、この一対の電極部でコンデンサ３３を構成している。このコンデンサ３３により静電容量型タッチキースイッチＴＫが構成される。
【００２８】
３４は発振部で、この発振部からの出力された交流電圧はコンデンサ３４を介してタッチキーＴＫを構成する片側の電極３２に印加される。３６は検知部で、コンデンサ３３の出力電圧が印加される。この検知部は、コンデンサ３３からの交流電圧を直流電圧に変換し、この直流電圧のレベルを検知し、タッチキースイッチＴＫに使用者が接触したことを判定し、その出力を制御部３７に出力する。この制御部はマイクロコンピュータ等で構成され、各熱源部９，１０，１１及びロースター部５の動作条件を制御するとともに、表示手段２６と冷却用送風機２４の運転も制御する。なお、「動作条件」とは、加熱するための電気的、物理的な条件をいい、通電時間、通電量、加熱温度、通電パターン（連続通電、断続通電等）等を総称したものである。なお、この図３ではタッチキースイッチＴＫが１個しか描かれていないが、数個以上設けて、各熱源部９，１０，１１の動作条件を制御部３７にインプットするようにしても良い。
【００２９】
次にこの実施の形態２に関する調理器の動作について説明する。
視覚障害者が枠体７の手前部７a表面を触り、識別部１７を基準に指をわずかに前方にずらせばタッチキースイッチＴＫを入力することができる。そのタッチキースイッチＴＫに接触した場合の報知内容（音声と表示手段２６への表示例）としては、例えば、以下のように色々なものがある。
左熱源部９の加熱動作中：
（ア）左加熱部  熱いです！
（イ）このキーは左加熱部の識別用です！
左熱源部９の加熱動作を終了して数分以内：
（ア）左加熱部停止していますが、まだ熱いです！
どの熱源部も使用しておらず、かつトッププレート６が安全な温度になっている状態：
（ア）このキーは左加熱部の識別用です！  どの加熱部も使用されていません！
【００３０】
このように、各熱源部９，１０、１１のどれに対応しているのかどうかということ、及びとその熱源部の動作条件などの状態を音声やブザーで報知し、使用者に安全喚起を行う。
使用者に上記のような熱源部の加熱状態又はトッププレート６の温度状況等のような参考情報の他に、あるいはそれに加えて「調理関連情報」を知らせるようにしても良い。
【００３１】
また、各熱源部９，１０、１１をタイマーセットした時間だけ調理する場合では、そのセット時間から経過した残時間を、また揚げ物調理や保温調理などを行っている時はそれら温度を、それぞれ音声で報知することで使用者はその時点の最新状況をすばやく把握できるため、調理が手際よくはかどる。なお、タッチキースィッチＴＫは他の識別部１５，１６、１８、１９、２０、２１に対応してそれらの近傍に設けても良いが、特に調理器の手前側位置に設けると、使用者の操作性が良い。
【産業上の利用可能性】
【００３２】
本発明の加熱調理器は、視覚障害者であっても鍋等の被加熱物の載置位置と熱源部の違いを認識でき、安全にかつ快適に調理を行うことができるので、据置型やビルトイン型の誘導加熱式加熱源専用調理器および他の輻射式加熱源との複合型加熱調理器に広く利用することができる。
【図面の簡単な説明】
【００３３】
【図１】実施の形態１に係る加熱調理器の全体を一部破断状態で示す斜視図である。
【図２】実施の形態１に係る加熱調理器の全体を示す斜視図である。
【図３】本発明の実施形態２に係る加熱調理器を示す概略図である。
【符号の説明】
【００３４】
Ａ  本体部、ＴＫ  タッチキースイッチ、１  ＩＨクッキングヒータ、１a  本体前面部、１b  ケース、２  天面部、３  被加熱物、４  前面操作部、４a  メインスイッチ、４b  プッシュ式火力調節ダイヤル、５  ロースタ部、６  トッププレート、７  枠体、７a  手前部、７b  右部、７c  左部、８  上面操作部、９  左熱源部、１０右熱源部、１１  中央熱源部、１２  マーク（左）、１３  マーク（右）、１４  マーク（中央）、１５  識別部、１６  識別部、１７  識別部、１８  識別部、  １９  識別部、２０  識別部、２１  識別部、２２  右熱源部の中心部、２３  中央熱源部の中心部、２６  表示手段、３１  電極部、３２  電極部、３３  コンデンサ、３４  発振器、３６  検知部、３７制御部。
【図１】
2010038518.tif 000003
【図２】
2010038518.tif 000004
【図３】
2010038518.tif 000005